(57)【要約】      （修正有）【課題】バランス／バランスばねタイプの発振器のためにバランスばねの有効長を調整するデバイスを提供する。【解決手段】バランスばねの有効長を自律的に調整するデバイスであって、コック１２によってプレートにマウントされるレギュレーター１４を有し、コックには、バランスばねスタッドホルダーが回転可能にマウントされ、レギュレーターは、回転可能にスタッドホルダー１０にマウントされ、回転アームと、及びレギュレーターを回転させることによってバランスばね５の有効長を変える手段と、レギュレーターに位置に戻る弾性作用を及ぼすように構成している弾性応力手段と、及び自由回転するようにコックにマウントされレギュレーターの回転アームに接続された慣性ブロックとを有する。レギュレーターは、デバイスの待機位置と修正位置の間にレギュレーターの回転アームを動かすように構成しており、同時に、バランスばねの有効長を変える手段に作用する。【選択図】図１
2019113535.tif 000002
【特許請求の範囲】
【請求項１】
バランス／バランスばねタイプの発振器（４、５）のためにバランスばね（５）の有効長を自律的調整デバイス（６）であって、
バランス（４）のスタッフ（７）が中で回転するコック（１２）によって、計時器用ムーブメント（２）のプレート（１３）にマウントされるレギュレーター（１４）を有し、
前記バランスばね（５）は、前記バランススタッフ（７）と一体的な内側端と、及びスタッドホルダー（１０）に取り付けられたバランスばねスタッド（８）と一体的な外側端とを有し、
前記スタッドホルダー（１０）は、前記バランス（４）の前記スタッフ（７）と同心的に回転可能に前記コック（１２）にマウントされ、
前記レギュレーター（１４）は、前記バランス（４）の前記スタッフ（７）と同心的に回転可能に前記スタッドホルダー（１０）にマウントされ、
回転アーム（１６）と、及び前記レギュレーター（１４）を回転させることによって前記バランスばね（５）の有効長を調整する手段（１８）とを有し、
当該デバイスは、さらに、前記レギュレーター（１４）に位置を戻す弾性作用を及ぼすように構成している弾性応力手段（２０）と、及び
前記コック（１２）上にて自由回転するようにマウントされ、前記レギュレーター（１４）の前記回転アーム（１６）に接続された慣性ブロック（２２）とを有し、
これによって、前記慣性ブロック（２２）の回転によって、前記レギュレーター（１４）の前記回転アーム（１６）が変位し、同時に、前記バランスばね（５）の有効長を調整する手段（１８）に作用する。
ことを特徴とするデバイス（６）。
【請求項２】
バランス／バランスばねタイプの発振器（４、５）のためにバランスばね（５）の有効長を自律的調整デバイス（６）であって、
バランス（４）のスタッフ（７）が中で回転するコック（１２）によって、計時器用ムーブメント（２）のプレート（１３）にマウントされるレギュレーター（１４）を有し、
前記バランスばね（５）は、前記バランス（４）の前記スタッフ（７）と一体的な内側端と、及びスタッドホルダー（１０）に取り付けられたバランスばねスタッド（８）と一体的な外側端とを有し、
前記スタッドホルダー（１０）は、前記バランス（４）の前記スタッフ（７）と同心的に回転可能に前記コック（１２）にマウントされ、
前記レギュレーター（１４）は、前記バランス（４）の前記スタッフ（７）と同心的に回転可能に前記スタッドホルダー（１０）にマウントされ、
回転アーム（１６）と、及び前記レギュレーター（１４）を回転させることによって前記バランスばね（５）の有効長を調整する手段（１８）とを有し、
当該デバイスは、さらに、前記レギュレーター（１４）に位置を戻す弾性作用を及ぼすように構成している弾性応力手段（２０）と、及び
前記プレート（１３）上にて自由回転するようにマウントされ、前記レギュレーター（１４）の前記回転アーム（１６）に接続された慣性ブロック（２２）とを有し、
これによって、前記慣性ブロック（２２）の回転によって、前記レギュレーター（１４）の前記回転アーム（１６）が変位し、同時に、前記バランスばね（５）の有効長を調整する手段（１８）に作用する。
ことを特徴とするデバイス（６）。
【請求項３】
当該デバイスは、さらに、前記レギュレーター（１４）の前記回転アーム（１６）を駆動するカム（２４）を有し、
前記カム（２４）は、前記慣性ブロック（２２）と一体化されており、前記回転アーム（１６）に接する
ことを特徴とする請求項１又は２に記載のデバイス（６）。
【請求項４】
前記慣性ブロック（２２）は、前記慣性ブロック（２２）と一体的なアーバー（３８）を介して自由回転するように前記コック（１２）にマウントされ、
前記カム（２４）は、前記アーバー（３８）と同心的であり前記アーバー（３８）と一体的な前記慣性ブロック（２２）にマウントされている
ことを特徴とする請求項３に記載のデバイス（６）。
【請求項５】
前記カム（２４）は、形が作られた外周を有する半径方向のカムである
ことを特徴とする請求項３又は４に記載のデバイス（６）。
【請求項６】
当該デバイス（６）の待機位置において、前記カム（２４）の平坦な部分（４０）が前記レギュレーター（１４）の前記回転アーム（１６）に接しており、
当該デバイス（６）の修正位置において、前記カム（２４）のコーナーないし角（４２）が前記回転アーム（１６）に接している
ことを特徴とする請求項３〜５のいずれかに記載のデバイス（６）。
【請求項７】
前記カム（２４）は、前記慣性ブロック（２２）の位置にかかわらず前記レギュレーター（１４）の前記回転アーム（１６）に接している
ことを特徴とする請求項３〜６のいずれかに記載のデバイス（６）。
【請求項８】
前記弾性応力手段（２０）は、弾性変形可能なアーム（３０）を有し、
このアームの第１の端（３２ａ）は、前記コック（１２）と一体的な部品（３４）に載り、
このアームの第２の端（３２ｂ）は、前記レギュレーター（１４）に取り付けられている
ことを特徴とする請求項１〜７のいずれかに記載のデバイス（６）。
【請求項９】
前記レギュレーター（１４）、前記回転アーム（１６）及び前記弾性変形可能なアーム（３０）は一緒に、一体的な部品を形成する
ことを特徴とする請求項８に記載のデバイス（６）。
【請求項１０】
当該デバイスは、さらに、前記弾性応力手段（２０）によって定められる弾性応力を調整する手段（２６）を有する
ことを特徴とする請求項１〜９のいずれかに記載のデバイス（６）。
【請求項１１】
前記バランスばねの有効長を調整する手段（１８）は、前記レギュレーター（１４）に取り付けられた２つのピン（１９）を有し、
前記バランスばね（５）は、２つの間の前記バランスばね（５）の外側コイル（２１）が前記２つのピン（１９）の間を通るように構成している
ことを特徴とする請求項１〜１０のいずれかに記載のデバイス（６）。
【請求項１２】
当該デバイスは、さらに、レギュレーター（１４）上に配置されており前記バランス（４）の前記スタッフ（７）上に少なくとも部分的に載るショック吸収手段（２８）を有する
ことを特徴とする請求項１〜１１のいずれかに記載のデバイス（６）。
【請求項１３】
前記慣性ブロック（２２）は、固体の半ディスクである
ことを特徴とする請求項１〜１２のいずれかに記載のデバイス（６）。
【請求項１４】
前記慣性ブロック（２２）は、二材料系の固体ディスクであり、
その２つの材料は、互いに異なる密度を有する
ことを特徴とする請求項１〜１１のいずれかに記載のデバイス（６）。
【請求項１５】
バランス／バランスばねタイプの発振器（４、５）と、及びバランスばね（５）の有効長を自律的に調整する自律的調整デバイス（６）を有する計時器用ムーブメント（２）であって、
前記自律的調整デバイス（６）は、請求項１〜１４のいずれかに記載のデバイスである
ことを特徴とする計時器用ムーブメント（２）。
【請求項１６】
請求項１５に記載の計時器用ムーブメント（２）を有する計時器（１）。
【発明の詳細な説明】
【技術分野】
【０００１】
本発明は、バランス／バランスばねタイプの発振器のためにバランスばねの有効長を自律的に調整するデバイスに関する。
【０００２】
本発明は、さらに、バランス／バランスばねタイプの発振器のためにバランスばねの有効長を自律的に調整するデバイスを有する計時器用ムーブメントに関する。
【０００３】
本発明は、さらに、計時器用ムーブメントを有する、計時器、特に腕時計、に関する。
【背景技術】
【０００４】
バランス／バランスばねタイプの機械式発振器を備える腕時計の分野において、バランスばねの有効長を調整する手動式のデバイスが知られている。
【０００５】
例えば、通常の手動式の調整機構において、バランスばねの外側端は、コックと一体的なスタッドホルダーに固定されるスタッドによって動けなくされる。スタッドホルダーのまわりを回転するように動くことができるレギュレーターが、バランスばねの有効長を調整するために設けられ、これによって、バランス／バランスばねの周波数を調整することができる。レギュレーターは、回転するレバーであり、これには、一般的に、２つのアームがあり、これらのアームは、バランススタッフの軸のまわりに延在している。レギュレーターの第１のアームは、例えば、２つのピンを担持しており、これらの間にてバランスばねが自由になっている。レギュレーターの第２のアームを手動で発動して、バランススタッフのまわりを特定の角度にわたってレギュレーターを回転させることができる。このことによって、カウント点の実際の位置を変えることができる。レギュレーターが回転すると、バランスばねの有効長が小さくなったり大きくなったりする。しかし、このような手動式の調整デバイスの１つの課題として、対応する計時器用ムーブメントの向きに応じて地球の重力がバランス／バランスばねの振動周波数に影響を与えることがある。この場合、腕時計は、特にその水平及び鉛直方向の姿勢の間にて、レートの大きな偏差が発生してしまうことがある。また、バランスばねとピンの間の遊びのためにバランスばねがピンの間を動くとき、バランスの振動は、その有効長に悪影響を与えて、バランス／バランスばねアセンブリーの振動周波数にわずかな変動を発生させてしまう。
【０００６】
重力の良くない影響を抑えるために、特に、スイス特許ＣＨ７０５６０５Ｂ１に記載されている手法が知られている。これは、バランスばねの有効長を調整するデバイスを実装しており、レギュレーターは、バランスばねの端部分をクランプしてその有効長を定めるように意図されているクランプ手段を担持している。また、バランスばねの外側端は、レギュレーターに対して動くようにマウントされレギュレーターと連係するように構成しているアタッチメントシステムと一体化されている。クランプ手段は、例えば、ピン／カムのクランプシステムによって形成されており、バランスばねの端部分はクランプされており、腕時計師によって意識的に緩ませたり締めたりすることができる。腕時計師がピン／カムのクランプシステムを緩めると、その腕時計師は道具を用いて前記アタッチメントシステムを動かすことができ、これによって、固定され続けるレギュレーター、したがって、ピン、に対して、バランスばねを動かすことができる。このことによって、バランスばねの有効長を変えることができる。そして、腕時計師は、クランプシステムをきつくすることによってピンに対してバランスばねをクランプして、調整デバイスを再び動作位置にすることができる。しかし、この手法は、依然として手動式の調整手法であり、重力の影響を補償する際の調整精度を相当に制限してしまうという課題がある。また、このような手法の実装は、調整のために腕時計師によって様々な手動の調整ステップを実行する必要性があるために好まれない。
【発明の概要】
【発明が解決しようとする課題】
【０００７】
本発明は、バランス／バランスばねタイプの発振器のためにバランスばねの有効長を調整するデバイスを提供することを目的とし、これによって、単純、正確で、自律的な方法で、重力の影響、具体的には、発振器のバランスの等時性に対する阻害要因、をオフセットすることができ、現状の技術の前記課題を解決することができる。
【課題を解決するための手段】
【０００８】
このために、本発明は、独立請求項１に記載された特徴を有する、バランス／バランスばねタイプの発振器のためにバランスばねの有効長を調整するデバイスに関する。
【０００９】
調整デバイスの特定の実施形態が、従属請求項２〜１３に定められている。
【００１０】
本発明に係る調整デバイスの１つの利点は、この調整デバイスが、位置を戻す弾性作用をレギュレーターに及ぼすように構成している弾性応力手段と、及びコック上で自由回転するようにマウントされレギュレーターの回転アームに接続された慣性ブロックとを有することに基づいている。したがって、重力の影響を受ける慣性ブロックが回転することによって、デバイスの待機位置と修正位置の間で、レギュレーターの回転アームが変位し、同時に、バランスばねの有効長を変える手段に作用し、これによって、重力に起因するバランスの等時性に対する阻害要因をオフセットするようにバランスばねを調整することが可能になる。したがって、本発明に係る調整デバイスによって、自律的な形態で、重力に起因するバランスの等時性に対する阻害要因をオフセットすることによって、発振器の動作をその空間における位置に応じて正確に調整することが可能になる。
【００１１】
本発明の好ましい実施形態によると、当該調整デバイスは、さらに、前記レギュレーターの前記回転アームを駆動するカムを有し、前記カムは、前記慣性ブロックと一体化されており、前記回転アームに接する。
【００１２】
好ましくは、前記カムは、前記慣性ブロックの位置にかかわらず前記レギュレーターの前記回転アームに接している。このことによって、空間における位置に応じて発振器の動作を恒久的に調整し、修正精度をさらに改善することができる。
【００１３】
本発明の特定の実施形態によると、前記弾性応力手段は、弾性変形可能なアームを有し、このアームの第１の端は、前記コックと一体的な部品に載り、このアームの第２の端は、前記レギュレーターに取り付けられている。
【００１４】
好ましくは、前記レギュレーター、前記回転アーム及び前記弾性変形可能なアームは一緒に、一体的な部品を形成する。このことによって、必要な空間を減らし、かつ、当該調整デバイスの信頼性を改善する。
【００１５】
好ましくは、当該調整デバイスは、さらに、前記弾性応力手段によって定められる弾性応力を調整する。このことによって、例えば、調整デバイスを備える腕時計のために望まれる使用のタイプに応じて、レギュレーターに及ぼされる弾性戻し作用の強度をユーザーが調整することが可能になる。
【００１６】
本発明は、上記の目的を達成するために、さらに、上記の調整デバイスを有し、従属請求項１４に定められた特徴を有する計時器用ムーブメントに関する。
【００１７】
本発明は、上記の目的を達成するために、さらに、上記の計時器用ムーブメントを有し従属請求項１５に記載の特徴を有する計時器に関する。
【００１８】
図示している少なくとも１つの実施形態（これに限定されない）に基づいて以下の説明を読むことによって、バランスばねの有効長を調整するデバイス及びこれを有する計時器の目的、利点及び特徴を明確に理解することができるであろう。
【図面の簡単な説明】
【００１９】
【図１】本発明に係るバランスばねの有効長を調整する機構を有する腕時計の計時器用ムーブメントの斜視図である。
【図２】図１の調整デバイスの分解斜視図である。
【図３】待機位置にある図１の調整デバイスについての平面図である。
【図４】修正位置にある図１の調整デバイスについての図３と同様な平面図である。
【発明を実施するための形態】
【００２０】
以下において、バランス／バランスばねタイプの発振器のためにバランスばねの有効長を調整するデバイスを備える計時器用ムーブメントについて説明する。当業者に周知な計時器用ムーブメントの通常の部品については、単純化した形態でのみ説明し、又はまったく説明しない。当業者であれば、これらの異なる部品を適応させて、これらを一緒にはたらかせて計時器用ムーブメントを動作させる方法がわかるはずである。具体的には、エスケープ機構は本発明に係る調整デバイスと有利に連係することができるが、下において計時器用ムーブメントのエスケープ機構に関連することについては何も説明しない。
【００２１】
図１は、計時器用ムーブメント２を有する計時器１の一部を示している。図１の特定の例示的な実施形態において、計時器用ムーブメント１は腕時計である。計時器用ムーブメント２は、バランス４とバランスばね５を備えた発振器と、及びバランスばね５の有効長を自律的に調整するデバイス６とを有する。伝統的な形態で、バランスばね５は、その内側端（見えない）によってバランス４のスタッフ７に取り付けられている。バランス４のスタッフ７の一端は、バランスバーにおいて回転可能にマウントされている（バランスバーは簡明性のために図面において見えなくなっている）。バランスばね５の外側端は、伝統的な形態で、コック１２に軽くクランプされているスタッドホルダー１０に固定されたスタッド８に取り付けられている。より正確には、図２に示しているように、スタッドホルダー１０は、バランス４のスタッフ７に同心的であるようにコック１２上に回転可能にマウントされる。バランス４のスタッフ７は、コック１２に回転可能にマウントされる。
【００２２】
調整デバイス６は、コック１２を介して計時器用ムーブメント２のフレーム１３にマウントされ、レギュレーター１４を有する。図２に示しているように、レギュレーター１４は、バランス４のスタッフ７と同心的であるようにスタッドホルダー１０に回転可能にマウントされる。レギュレーター１４は、回転アーム１６と、及びバランスばね５の有効長を変える手段１８とを有する。
【００２３】
バランスばね５の有効長を変える手段１８は、レギュレーター１４を回転させることによってバランスばね５の有効長を変えることができる。図２に示している特定の例示的な実施形態では、バランスばね５の有効長を調整する手段１８は、レギュレーター１４に固定された２つのピン１９を有する。バランスばね５は、その外側コイル２１が前記２つのピン１９の間を通るように構成している。すなわち、２つのピン１９は、外側コイル２１のための万力のように作用し、計時器用ムーブメント２のフレーム１３に実質的に垂直な平面に沿って、すなわち、計時器用ムーブメント２が水平面に延在している場合に実質的に鉛直平面に沿って、向いている。図２に示しているように、２つのピン１９の上端は、例えば、レギュレーター１４に形成された溝２３内に押し込まれる。これによって、ピン１９がレギュレーター１４に取り付けられることが可能になる。このようにして、ピン１９の下側メイン部分は、レギュレーター１４の下面１４ａから延在し、これによって、バランスばね５の外側コイル２１が前記下側メイン部分の間に配置されることが可能になる。図２に示している特定の例において、ピン１９は、実質的に平行六面体の形である。しかし、本発明の範囲内にて、ピン１９として平行六面体形ではないいずれの形も思い描くことができる。
【００２４】
調整デバイス６は、さらに、弾性応力手段２０と慣性ブロック２２を有する。好ましい例示的な実施形態において、調整デバイス６は、さらに、レギュレーター１４の回転アーム１６を駆動するカム２４を有する。好ましくは、調整デバイス６は、さらに、弾性応力手段２０によって定められる弾性応力を調整する手段２６と、及びショック吸収手段２８とを有することができる。
【００２５】
弾性応力手段２０は、位置を戻す弾性作用をレギュレーター１４に及ぼすように構成している。より正確には、弾性応力手段２０は、図３に示している調整デバイス６の待機位置への弾性戻し作用をレギュレーター１４に及ぼすように構成している。特定の例示的な実施形態によると、弾性応力手段２０は、弾性変形可能なアーム３０を有する。アーム３０の第１の端３２ａは、コック１２と一体的な部分３４に当接して、アーム３０に弾性応力が与えられるようにする。この弾性応力構成を容易にするために、コック１２の側面１２ａ上に、変形可能なアーム３０のための支持及びガイド用リム３６を設けることができる。下に詳細に説明するように、部品３４は、例えば、弾性応力調整手段２６によって形成されるが、別の実施形態において、コック１２と一体的なピンによって形成されていることができる。アーム３０の第２の端３２ｂは、レギュレーター１４に取り付けられている。好ましくは、図１〜４に示しているように、レギュレーター１４、回転アーム１６及び弾性変形可能なアーム３０は一緒に、一体的な部品を形成する。例えば、レギュレーター１４、回転アーム１６及び弾性変形可能なアーム３０によって形成されるこの一体的な部品は、実質的にＵ字形を定め、回転アーム１６と弾性変形可能なアーム３０が、Ｕ字の２つのアームを形成する。
【００２６】
好ましい実施形態によると、慣性ブロック２２は、自由回転するようにコック１２にマウントされ、レギュレーター１４の回転アーム１６に接続される。これによって、慣性ブロック２２の回転が、レギュレーター１４の回転アーム１６を変位させ、同時に、バランスばね５の有効長を調整する手段１８に作用する。自身が重力の影響を受ける慣性ブロック２２の回転に起因するレギュレーター１４の回転アーム１６が、図３に示したデバイス６の待機位置と図４に示したデバイス６の修正位置の間で変位する。図１〜４に示しているように、慣性ブロック２２は、例えば、固体の半ディスクによって形成される。図示していない実施形態において、慣性ブロック２２は、二材料系の固体ディスクで形成され、ディスクの２つの材料は、異なる密度を有する。
【００２７】
別の実施形態によると、慣性ブロック２２は、自由回転するようにプレート１３にマウントされる。
【００２８】
好ましい例示的な実施形態において、デバイス６は、レギュレーター１４の回転アーム１６を駆動するカム２４を有し、カム２４は、慣性ブロック２２と一体化されており、回転アーム１６に接している。図１〜４に示しているこの好ましい例の実施形態において、慣性ブロック２２は、その慣性ブロック２２と一体的なアーバー３８を介して自由回転するようにコック１２にマウントされる。カム２４は、アーバー３８と同心的に慣性ブロック２２にマウントされ、アーバー３８と一体化されている。
【００２９】
好ましくは、カム２４は、形が作られた外周を有する半径方向のカムである。実質的に長方形の外周を有する半径方向のカム２４を図１〜４に示しているが、実際上、用いられるバランスばね５のタイプに依存して、カム２４の外周のために任意のタイプの形を思い描くことができる。例えば、三角形、オブロング状又は楕円形の外周を有する半径方向のカムも、本発明の範囲内で用いることができる。好ましくは、図３及び４に示しているように、調整デバイス６の待機位置において、カム２４の平坦な部分４０は、レギュレーター１４の回転アーム１６に接しており、また、デバイス６の修正位置において、カム２４のコーナーないし角４２が回転アーム１６に接している。また、図１、３及び４に示しているように、好ましくは、カム２４は、慣性ブロック２２の位置にかかわらず、レギュレーター１４の回転アーム１６に接している。
【００３０】
図１〜４に示している特定の例示的な実施形態において、レギュレーター１４、回転アーム１６及び弾性変形可能なアーム３０によって形成される一体的な部品は、実質的にＵ字形を定め、カム２４は、回転アーム１６と弾性変形可能なアーム３０の間に配置されて、これによって、カム２４が回転アーム１６の支持体としてはたらき、したがって、弾性変形可能なアーム３０に弾性応力を及ぼすことに寄与する。また、この特定の例示的な実施形態において、回転アーム１６と弾性変形可能なアーム３０の間におけるＵ字の２つのアームの間の穴に、弾性変形可能なアーム３０のための支持部品３４が配置されている。
【００３１】
弾性応力調整手段２６は、弾性変形可能なアーム３０のための支持部品３４としてはたらくことができる。図１〜４に示した特定の例示的な実施形態において、弾性応力調整手段２６は、いくつかの調整位置の間を動くことができる弾性応力調整ボタン４４を有する。調整ボタン４４は、好ましくは、押しボタンやベゼルのような当業者に知られている任意の手段によって、ユーザーによって計時器１の外から発動することができる。
【００３２】
弾性応力調整ボタン４４には、例えば、半径が変動する半径方向の輪郭を定める外側輪郭がある。図１〜４に示した例において、調整ボタン４４が弾性変形可能なアーム３０のための支持部品３４としてはたらき、これによって、調整ボタン４４の位置に応じて、アーム３０の位置が回転アーム１６に対して変わることができ、したがって、レギュレーター１４に及ぼされる弾性応力の強度を変えることができる。このように、カム２４／慣性ブロック２２のアセンブリーをリリースするためのしきい値が、調整ボタン４４の位置に応じて変わり、このことによって、ユーザーの所望の使用形態に応じて調整デバイス６を適応させることができる。例えば、計時器１が腕時計である場合、調整ボタン４４は、腕時計の定着モード、通常モード又はスポーツモードにおける使用に対応する３つの調整位置の間で動くことができる。
【００３３】
ショック吸収手段２８は、レギュレーター１４上に配置されており、バランス４のスタッフ７上に少なくとも部分的に載る。ショック吸収手段２８は、例えば、内部にクローバばね４８が入れ込まれている通常のショックアブソーバー４６を有する。
【００３４】
したがって、空間における計時器用ムーブメント２の位置に応じて、重力の影響を受ける慣性ブロック２２は、その回転軸のまわりを回転することができ、したがって、図３及び４に示しているように、レギュレーター１４の回転アーム１６を変位させる。この慣性ブロック２２の回転は、同時に、バランスばね５の有効長を調整する手段１８に作用し、このことによって、重力に起因するバランスの等時性に対する阻害要因をオフセットするように、バランスばねの有効長を継続的に調整することができる。
【符号の説明】
【００３５】
１  計時器
２  計時器用ムーブメント
４  バランス
５  バランスばね
６  自律的調整デバイス
７  バランススタッフ
８  バランスばねスタッド
１０  スタッドホルダー
１２  コック
１３  プレート
１４  レギュレーター
１６  回転アーム
１８  バランスばねの有効長を調整する手段
１９  ピン
２０  弾性応力手段
２１  外側コイル
２２  慣性ブロック
２４  カム
２６  弾性応力を調整する手段
２８  ショック吸収手段
３０  弾性変形可能なアーム
３４  一体的な部品
３８  アーバー
４０  平坦な部分
４２  コーナーないし角
３２ａ  第１の端
３２ｂ  第２の端
【図１】
2019113535.tif 000003
【図２】
2019113535.tif 000004
【図３】
2019113535.tif 000005
【図４】
2019113535.tif 000006